(57)【要約】第一層及び第二層を有する多層的コンフォートストップであり、剃刀本体に固定されている。第一層は第二層に結合され、第二層は剃刀本体に固定される。第一層の第一材料構成は、第二層の第二材料構成と異なる。
2006509590.tif 000002
【特許請求の範囲】
【請求項１】
第一熱膨張率を有する第一材料組成をもつ第一層と、
第二材料組成を有し剃刀本体に固定され、前記第二材料組成が第二熱膨張率をもち、前記第一層に結合する第二層とを具備し、
前記第二熱膨張率が、前記第一熱膨張率より、前記剃刀本体の熱膨張率に近似することを特徴とする、
剃刀本体に固定された多層的コンフォートストリップ。
【請求項２】
前記第一材料組成が第一濃度のシェービング補助具を含み、
前記第二材料組成が第二濃度のシェービング補助具を含み、前記第二濃度が前記第一濃度より小さいことを特徴とする、請求項１記載の多層的コンフォートストリップ。
【請求項３】
前記シェービング補助具がクリーム、油、石鹸の何れかを含む、請求項２記載の多層的コンフォートストリップ。
【請求項４】
前記第二層が前記第一層より剛性である、請求項１記載の多層的コンフォートストリップ。
【請求項５】
前記多層的コンフォートストリップが前記剃刀本体のヘッド部分に固定され、前記ヘッド部分が前記剃刀の刃を支持し、前記多層的コンフォートストリップが前記刃の近隣に固定されている、請求項１記載の多層的コンフォートストリップ。
【請求項６】
前記多層的コンフォートストリップが前記剃刀本体のカートリッジに固定され、前記カートリッジが前記剃刀の刃を支持し、前記多層式コンフォートストリップが前記刃の近隣に固定されている、請求項１記載の多層的コンフォートストリップ。
【請求項７】
前記多層的コンフォートストリップが前記ヘッド部分に粘着剤により固定されている、請求項５記載の多層的コンフォートストリップ。
【請求項８】
前記多層的コンフォートストリップが前記ヘッド部分に形成された通路に固定されている、請求項５記載の多層的コンフォートストリップ。
【請求項９】
前記通路が実質的に垂直の対向側壁を含む、請求項８記載の多層的コンフォートストリップ。
【請求項１０】
前記通路が傾斜した対向側壁を含む、請求項８記載の多層的コンフォートストリップ。
【請求項１１】
前記多層的コンフォートストリップが前記ヘッド部分の中に形成された突起した通路の内部に固定されている、請求項５記載の多層的コンフォートストリップ。
【請求項１２】
前記第二層が実質的に前記通路の内部に配置され、前記第一層が実質的に前記通路の外側に配置される、請求項８記載の多層的コンフォートストリップ。
【請求項１３】
前記第一層と前記第二層とが共押し出しされている、請求項１記載の多層的コンフォートストリップ。
【請求項１４】
前記第一層と前記第二層とが対比色を有する、請求項１記載の多層的コンフォートストリップ。
【請求項１５】
第一熱膨張率を有する材料からなる第一層を形成し、
充填剤を組み込んだ材料からなる第二層を形成し、前記第二層が第二熱膨張率を有し、前記第二熱膨張率が、前記第一熱膨張率より前記剃刀の熱膨張率に近似し、
前記基層が前記潤滑層に結合し、
前記基層を前記剃刀に固定するステップを含む、コンフォートストリップを剃刀に提供する方法。
【請求項１６】
前記第一層内において、シェービング補助具の第一所定量を含み、
前記第二層内において、シェービング補助具の第二所定量を含み、
前記シェービング補助具の前記第二の所定量が前記第一所定量より少ない、
さらなるステップを含む、コンフォートストリップを剃刀に提供する請求項１５記載の方法。
【請求項１７】
前記第二層を前記剃刀に固定するため粘着剤を使用する、さらなるステップを含む、コンフォートストリップを剃刀に提供する請求項１６記載の方法。
【請求項１８】
前記剃刀内に形成された通路に前記第二層を挿入する、さらなるステップを含む、コンフォートストリップを剃刀に提供する請求項１７記載の方法。
【請求項１９】
前記第一層と前記第二層とが対比色を有するように形成する、さらなるステップを含む、コンフォートストリップを剃刀に提供する請求項１５記載の方法。
【請求項２０】
前記充填剤の所定の熱膨張率が、前記第一熱膨張率より前記剃刀の前記熱膨張率に近似する、さらなるステップを含む、コンフォートストリップを剃刀に提供する請求項１５記載の方法。
【請求項２１】
第一層と、
前記第一層に結合した第二層で、前記第二層が前記剃刀本体に固定され、
前記第一層の第一材料組成が前記第二層の第二材料組成と異なることが特徴とする、
剃刀本体に固定された多層的コンフォートストリップ。
【発明の詳細な説明】
【技術分野】
【０００１】
関連出願の相互参照
本願は、２００２年１２月１３日に出願された米国仮特許出願６０／４３３，３９８に開示された本質的な内容は参照によって本明細書に組み込まれる。
【０００２】
発明の分野
本発明は一般的に多層的コンフォートストリップに係り、特に剃刀の刃要素に隣接するコンフォートストリップに関する。
【背景技術】
【０００３】
剃刀の使い心地や剃刀の本来の用途を向上させるため、長年に亘って、剃刀に多くの改良がなされてきた。これに伴い、多くの携帯型剃刀には、剃刀の刃要素の近隣にコンフォートストリップを採用することとなった。これらのコンフォートストリップは、通常、剃刀の刃要素の近隣に刃先とほぼ平行となるように設置されるので、シェービング操作の間、コンフォートストリップと刃要素は共に毛深い表面上を移動することとなる。実際には、コンフォートストリップは、剃る部分に滑らかさ又は潤いを与える役割を担うので、刃要素の移動に伴う刺激を和らげる。したがって、コンフォートストリップが、油、クリーム、石鹸等のシェービング補助具により構成されることは珍しくないことである。
【０００４】
上記の目的により、剃刀の使用可能期間において本来の便益を得るためには、コンフォートストリップは、剃刀本体に、又は使い捨て剃刀カートリッジの場合はカートリッジに、強固に取り付けられることが必要である。多くの場合、コンフォートストリップは、接着剤又は機会的装置の手段により、剃刀の金属又はプラスティックの部分に強固に取り付けられる。
【０００５】
しかしながら、コンフォートストリップを剃刀のプラスティック又は金属の表面に取り付ける際には、コンフォートストリップと剃刀の表面の熱膨張特性が異なるため、幾つかの問題が生じる。特に潤滑性を高めるために用いられる油、クリームを含む石鹸成分といったコンフォートストリップの固有の特質が、結合処理をさらに複雑なものにしている。さらに、剃刀のユーザが装着したコンフォートストリップの潤滑剤をいつ使い果たしたかを正確に知ることが困難である。
【０００６】
したがって、皮膚の剃る部分を滑らかにする目的の他に、剃刀本体により強固に固定すること目的とした、コンフォートストリップの技術のニーズある。さらに、ユーザが使用する前に、コンフォートストリップが使い果たしているかを確認する手段の技術のニーズもある。
【発明の開示】
【発明が解決しようとする課題】
【０００７】
以上の問題点及び懸念を鑑みて、本発明の一般的目的は、上記の欠点を解決又は改良する剃刀用コンフォートストリップを提供することである。
【課題を解決するための手段】
【０００８】
本発明は、一態様において、剃刀本体に固定された多層式コンフォートストリップにある。コンフォートストリップは、少なくとも一部分がシェービング補助具の材質である第一層を含む。第二層の材質も少なくとも一部分がシェービング補助具である。第二層は剃刀本体に固定されるとともに、第一層に結合される。第一層の材質は第一熱膨張率を定義し、第二層の材質によって定義されている第二熱膨張率と相違する。第二熱膨張率は、第一熱膨張率より、剃刀本体の熱膨張率に近似している。
【０００９】
第二熱膨張率が第一熱膨張率より剃刀本体の熱膨張率に近似する事実は、コンフォートストリップが第一層の材質だけで構成される場合よりも、第二層の材質と剃刀本体間のより強固な結合を提供する。
【００１０】
好ましくは、第一層の材質は、第二層の材質よりも、より多くのシェービング補助具を盛り込む。さらに、第一層及び第二層が共押し出しであることが好ましい。これにより、製造が容易となり、個々の層の取り扱いが簡略化され、マニュアル処理と比べてより経済的である。
【００１１】
ユーザに第一層が無くなっていることを知らせるために、本発明の一態様において、各層に異なる色を用いる。
【００１２】
本発明の一態様において、多層的コンフォートストリップは剃刀本体に固定され、第一層及び第二層を含む。第一層は第二層に結合され、第二層は剃刀本体に固定される。第一層の第一材料構成は、第二層の第二材料構成と異なる。
【発明を実施するための最良の形態】
【００１３】
図１に示すように、剃刀１０は、シャフト又はハンドル１２、コンフォートストリップ１４、ヘッドに取り付けられた刃要素１６又はカートリッジ、剃刀１０の部分１８を含む。コンフォートストリップ１４は、刃要素１６に隣接し、ヘッド部分１８に装着される。
【００１４】
剃刀１０は刃要素１６の対を有しているように示されているが、本発明はこの点において限定されず、剃刀は２枚より多く又は少ない枚数の刃要素を持つことが予想される。さらに、本発明は図１に示されている剃刀の特徴又は構造形態に限定されない。本発明の広範囲の側面に逸脱することなく、本発明のコンフォートストリップは、使い捨て剃刀、交換式カートリッジを持つ剃刀等に適用することができる。
【００１５】
図２に示すように、コンフォートストリップ１４は、材質２０からなる第一層と第一層２０に積層状態で固定されている材料２２からなる第二層を含む。図２に示された第一層２０は、少なくともその一部分が２つ以上のシェービング補助具より構成される。特に、シェービング補助具は、シェービング操作の間、刃要素１６が移動する際の刺激を和らげる。油、クリーム、石鹸、石鹸のような製剤等の既知の潤滑成分及び／又は保湿成分が、第一層２０の成分として用いることができる。
【００１６】
図２に示すように、基層２２はシェービング補助具により構成されるが、コンフォートストリップ１４を剃刀１０のヘッド部分１８に固定するのに最適な材質を含むことが好ましい。特に、基層２２は所定の材料又は充填剤を含むので、基層２２の熱膨張率は、第一層２０と比較して、剃刀１０の熱膨張率に近似する。すなわち、第一層２０と比較して、基層２２の材料組成は、基層２２の熱膨張率が剃刀１０のヘッド部分１８の熱膨張率に近似するように構成される。好ましくは、基層２２に付加された充填剤は、第一層２０と比較して、剃刀１０のヘッド部分１８の熱膨張率に近似する。
【００１７】
基層２２の材料の性質及び構成比率は、剃刀１０のヘッド部分１８を構成するプラスティック、ポリマー、金属等の材料に依存するよう調整される。さらに、基層２２の剛性を増加するために、上述したように、基層２２は第一層２０よりも少ない量の潤滑剤を含む。このように、基層２２は、粘着性技術及び材料、又は機械的手段、さらに詳細に後述される手段等を介することで、剃刀１０に固定されやすくなる。
【００１８】
したがって、コンフォートストリップ１４が少なくとも２枚の層、第一層２０及び基層２２からなり、第一層２０と基層２２とが各々異なる材料組成を有することが本発明の重要な側面である。さらに、剃刀１０のヘッド部分１８をより強固に固定するために、基層２２の熱膨張率が、第一層２０の熱膨張率よりも、剃刀１０のヘッド部分１８の熱膨張率に近似することが、本発明の重要な他の側面である。本発明では、第一層２０及び基層２２とが別々に形成され、熱又は熱と同等の処理、又は単一要素として共押し出しを介して、結合されることが想定される。
【００１９】
第２図は、第一層２０及び基層２２がヘッド部分１８の表面に装着するように示されているが、本発明はこの点において限定されない。図４−６でより詳細に説明されるように、基層２２をヘッド部分１８に埋め込む等の他の装着構成を想定することができる。コンフォートストリップ１４の基層２２は、ヘッド部分１８に熱処理又は押し出しを実施することによって、ヘッド部分１８に直接結合される。
【００２０】
図３に示すように、コンフォートストリップ１４は、粘着層３０を介してヘッド部分１８に固定される。実際には、基層２２の潤滑性を減らし且つ剛性を増やすことにより、第一層２０は剃刀１０のユーザの皮膚にシェビング補助具を与えつつ、ヘッド部分１８と基層２２間の結合をより強固且つ安定したものとする。
【００２１】
図４−６は、コンフォートストリップ１４が剃刀１０のヘッド部分１８に固定する様々な機械的又は構成的機構を示している。図４に示すように、コンフォートストリップ１４を固定するために、実質上垂直である対向側壁３３を持つ単一の通路３２がヘッド部分１８の内部に形成される。単一の通路３２を基層２２の幅よりやや狭くすることで、剛性が強化された基層２２はこれらの要素間に効果的なはめ合いを提供する。これに伴い、コンフォートストリップ１４はヘッド部分１８に固定される。シェービング操作の間、皮膚に接触させるために、第一層２０を部分的又は全体に渡って、ヘッド部分１８の表面より上に向けて伸長させることが可能である。
【００２２】
図５に示すように、上述した通路は傾斜させることができる。一般的に、対向側壁３５が傾斜した通路３４を形成する。傾斜通路３４は、その使用中に、コンフォートストリップ１４が傾斜通路３４から離脱しないようにする。図５のコンフォートストリップ１４は、基層２２が第一層２０よりも幾分幅広くなるように形成されるので、傾斜通路３４から離脱するのを防ぐ。さらに、基層２２は傾斜通路３４の輪郭に沿うよう垂直壁又は傾斜壁３６（影付活字で示す）を有する。
【００２３】
図６は、ヘッド部分１８が突起した通路３８を画定する他の構造的固定機構を示している。突起通路３８の内部にコンフォートストリップ１４が設置される。図５に示す実施例と同様に、コンフォートストリップ１４は、基層２２が第一層２０より幾分幅広くなるように形成され、シェービング操作の間、突起通路３８から離脱するのを防ぐ。
【００２４】
本発明は、その幅広い側面を逸脱することなく、図３−６で示されている夫々の固定機構の機能を一つ以上組み合わせることが想定される。例えば、通路内部のコンフォートストリップ１４をより強固に固定するため、粘着性又はエポキシ層／剤を添加することが可能である。さらに、図６の突起通路３８は、図５を用いて前述したように、傾斜側壁を含むことも可能である。
【００２５】
図７を参照すると、コンフォートストリップ１４は、剃刀１０のユーザに対して、第一層２０の減損について警告するよう受動的シグナル機構を提供することができる。すなわち、第一層２０及び基層２２に対比色を染色することで、ユーザは第一層の部分の侵食について気づかせることができる。図７に示すように、第一層２０の侵食した面４０により、基層２２の着色がユーザに見えるようになり、剃刀、ヘッド部分１８又はカートリッジの交換が必要であることを示す。
【００２６】
本発明は、刃要素１６に隣接するコンフォートストリップ１４を含む剃刀１０を参照して説明しているが、本発明はこの点において限定されない。図８に示されているように、コンフォートストリップ１４は、刃要素１６の前方に装着されるので、刃要素がユーザの皮膚から突出している毛を処理する前に、ユーザの皮膚に接触する。あるいは、本発明の広範囲の側面を逸脱することなく、剃刀１０は、前方及び後方コンフォートストリップ１４及び１４‘を含ませることができる。
【００２７】
図１−８の実施例にて示したように、本発明は、剃刀本体にコンフォートストリップを効率的に結合する基層の材質特性を適用した多層的コンフォートストリップを提示している。すなわち、本発明は、基層の熱膨張率が剃刀本体の熱膨張率により近似するよう最適化するため、コンフォートストリップの基層の材料組成が第一層の材料組成と異なることを提示している。好ましくは、基層はより強固な剛性を有するので、基層が剃刀本体に機械的又は構造的に固定することを補助する。さらに、各々のコンフォートストリップ層に対比色を染色することにより、本発明は、ユーザに対し、視覚効果を介して、コンフォートストリップの第一層が実質上浸食されているかについて知らせることが可能となる。
【００２８】
本発明は好ましい実施例を参照して説明されているが、本発明の当業者は、本発明の本質的な範囲から逸脱することなく、多様な明白な修正及び代用ができることを理解するであろう。したがって、本発明は開示された特定の実施例に限定されるべきでなく、添付された特許請求範囲の全ての実施例を含めている。  
【図面の簡単な説明】
【００２９】
【図１】本発明の一実施例によるコンフォートストリップを含む剃刀の正面図である。
【図２】図1のコンフォートストリップ及び剃刀ヘッドを部分的に拡大した断面図である。
【図３】本発明の一実施例によるコンフォートストリップを剃刀ヘッド部分に強固に固定する粘着層の横断図である。
【図４】本発明の一実施例によるコンフォートストリップを剃刀ヘッド部分に強固に固定する構造機構の横断図である。
【図５】本発明の他の実施例によるコンフォートストリップを剃刀ヘッド部分に強固に固定する構造機構の横断図である。
【図６】本発明の他の実施例によるコンフォートストリップを剃刀ヘッド部分に強固に固定する構造機構の横断図である。
【図７】コンフォートストリップが使用により磨耗した状態である図１に示されたコンフォートストリップの横断図である。
【図８】本発明の他の実施例による複数のコンフォートストリップを含む剃刀の正面図である。
【図１】
2006509590.tif 000003
【図２】
2006509590.tif 000004
【図３】
2006509590.tif 000005
【図４】
2006509590.tif 000006
【図５】
2006509590.tif 000007
【図６】
2006509590.tif 000008
【図７】
2006509590.tif 000009
【図８】
2006509590.tif 000010
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
第一濃度のシェービング補助具を含み、第一熱膨張率を有する第一材料組成をもつ第一層（２０）と、
第二濃度のシェービング補助具を含み、前記第二濃度が前記第一濃度より小さいことを特徴とする第二材料組成を有し、前記第二材料組成が第二熱膨張率をもち、前記第一層（２０）に結合するし、剃刀本体（１０）に固定される第二層（２２）とを具備し、
前記第二熱膨張率が、前記第一熱膨張率より、前記剃刀本体（１０）の熱膨張率に近似することを特徴とする、
剃刀本体（１０）に固定された多層的コンフォートストリップ（１４）。
【請求項２】
前記シェービング補助具がクリーム、油、石鹸の何れかを含む、請求項２１記載の多層的コンフォートストリップ（１４）。
【請求項３】
前記第二層（２２）が前記第一層（２０）より剛性である、請求項１記載の多層的コンフォートストリップ（１４）。
【請求項４】
前記多層的コンフォートストリップ（１４）が前記剃刀本体（１０）のヘッド部分（１８）に固定され、前記ヘッド部分（１８）が前記剃刀の刃（１６）を支持し、前記多層的コンフォートストリップ（１４）が前記刃（１６）の近隣に固定されている、請求項１記載の多層的コンフォートストリップ（１４）。
【請求項５】
前記多層的コンフォートストリップ（１４）が前記ヘッド部分（１８）に粘着剤（３０）により固定されている、請求項４記載の多層的コンフォートストリップ（１４）。
【請求項６】
前記多層的コンフォートストリップ（１４）が前記ヘッド部分（１８）に形成された通路内（３２、３４、３８）に固定されている、請求項４記載の多層的コンフォートストリップ（１４）。
【請求項７】
前記通路（３２、３４、３８）が実質的に垂直の対向側壁（３３）を含む、請求項６記載の多層的コンフォートストリップ（１４）。
【請求項８】
前記通路が傾斜した対向側壁（３６）を含む、請求項６記載の多層的コンフォートストリップ。
【請求項９】
前記第一層（２０）と前記第二層（２２）とが対比色を有する、請求項１記載の多層的コンフォートストリップ（１４）。
【請求項１０】
材料（２０）からなる前記第一層を形成し、
充填剤を組み込んだ材料（２２）からなる前記第二層を形成し、
前記第二層（２２）が前記潤滑前記第一層に結合し、
前記第二層（２２）を前記剃刀本体（１０）に固定するステップを含む、請求項１記載の前記コンフォートストリップ（１４）を前記剃刀本体（１０）に提供する方法。
【手続補正２】
【補正対象書類名】明細書
【補正対象項目名】０００１
【補正方法】削除
【補正の内容】
【手続補正３】
【補正対象書類名】明細書
【補正対象項目名】００１８
【補正方法】変更
【補正の内容】
【００１８】
したがって、コンフォートストリップ１４が少なくとも２枚の層、第一層２０及び基層２２からなり、第一層２０と基層２２とが各々異なる材料組成を有することが本発明の一つの側面である。さらに、剃刀１０のヘッド部分１８をより強固に固定するために、基層２２の熱膨張率が、第一層２０の熱膨張率よりも、剃刀１０のヘッド部分１８の熱膨張率に近似することが、本発明の他の側面である。本発明では、第一層２０及び基層２２とが別々に形成され、熱又は熱と同等の処理、又は単一要素として共押し出しを介して、結合されることが想定される。
【国際調査報告】
2006509590.tif 000011
2006509590.tif 000012
2006509590.tif 000013
2006509590.tif 000014